(57)【要約】【課題】  再生部を再生位置に位置させたとき、ターンテーブルの軸線上での支持が十分にできるディスク装置を得ることを目的とする。【解決手段】  ディスクの記憶情報を読み取る読み取り手段とディスクを載置するターンテーブルとを備えた再生部と、この再生部を支持しディスクの移動領域外の退避位置と再生位置との間を回動する支持板と、前記再生位置の筐体底面板上に設けられた位置決め部材と、この位置決め部材に係合して前記ターンテーブルの軸線を前記位置決め部材の軸線と一致させるように前記支持板の側縁に設けた切り込み溝とを備えたものである。【選択図】        図１
2005310203.tif 000002
【特許請求の範囲】
【請求項１】
ディスクの記憶情報を読み取る読み取り手段とディスクを載置するターンテーブルとを備えた再生部と、この再生部を支持しディスクの移動領域外の退避位置と再生位置との間を回動する支持板と、前記ターンテーブルの回転軸芯に対応する装置内で前記支持板を係止する位置決め部材と、この位置決め部材に係合して前記ターンテーブルの軸線を前記位置決め部材の軸線と一致させるように前記支持板の側縁に設けた切り込み溝とを備えたディスク装置。
【請求項２】
支持板と再生部との間に配置されて該再生部をロックするロック部材を備えたことを特徴とする請求項１記載のディスク装置。
【請求項３】
ロック部材は支持板または再生部のいずれか一方に回動自在に支持され、前記ロック部材に形成されたロック部が係合する前記支持板または再生部の対応箇所に該ロック部が前記再生部の水平面内に入るように形成された切り欠き部を備えたことを特徴とする請求項２記載のディスク装置。
【発明の詳細な説明】
【技術分野】
【０００１】
この発明は、ディスクの記憶情報を再生するためのディスク装置、特に自動車等の可動物に搭載して使用するディスク装置に関するものである。
【背景技術】
【０００２】
この種のディスク装置は、可動物の振動によって音飛びを起こし易い。そこで、従来は、ディスクの情報を読み取るピックアップとディスクを載置するターンテーブルとを備えた再生部を、ディスク移動領域外の退避位置から再生位置に回動させた再生時、再生部の一端を装置の一部に係止し、再生時のがたつきを防止している（例えば、特許文献１参照）。
【０００３】
また、箱型シャーシ（固定シャーシ）の一側と該箱型シャーシ内を仕切る仕切板にダンパを介して、ターンテーブルおよびピックアップを有する可動板を取り付け、この可動板の両側面に設けた係合板に、上記箱型シャーシの一側と仕切板に設けた移動板の係合ピンを係合させて、非再生時は可動板を箱型シャーシに固定している（例えば、特許文献２参照）。
【０００４】
【特許文献１】特開平１１−３５３７６９号公報（段落００４３〜００４５、図１０〜図１２）
【特許文献２】特開平５−２８１２号公報（段落００２０〜００２４、図１、図６〜図１２）
【発明の開示】
【発明が解決しようとする課題】
【０００５】
従来のディスク装置は、上記のように特許文献１のものは、再生位置に位置する再生部を中に浮いた状態で３点支持するもので、ターンテーブルの軸線上の支持が十分ではない。また、特許文献２のものは、非再生時に再生部を固定シャーシに固定するもので、再生時に再生部をターンテーブルの軸線上で支持することについては記載されていない。従って、再生時におけるターンテーブルの軸線上の支持が十分ではなく、可動物の振動による音飛びを確実に回避することができないという課題があった。
【０００６】
この発明は、上記のような課題を解消するためになされたもので、再生部を再生位置に位置させたとき、ターンテーブルの軸線上での支持が十分にできるとともに、再生位置の位置決めを正確にできるディスク装置を得ることを目的とする。
【課題を解決するための手段】
【０００７】
この発明に係るディスク装置は、ディスクの記憶情報を読み取る読み取り手段とディスクを載置するターンテーブルとを備えた再生部と、この再生部を支持しディスクの移動領域外の退避位置と再生位置との間を回動する再生部支持板と、前記ターンテーブルの回転軸芯に対応する装置内で前記再生部支持板を係止する位置決め部材と、この位置決め部材に係合して前記ターンテーブルの軸線を前記位置決め部材の軸線と一致させるように前記再生部支持板の側縁に設けた切り込み溝とを備えたものである。
【発明の効果】
【０００８】
この発明によれば、ターンテーブルの回転軸芯に対応して設けられた位置決め部材と、この位置決め部材に係合してターンテーブルの軸線を前記位置決め部材との軸線と一致させるように前記再生部に設けた切り込み溝とを備えた構成であるので、再生部を再生位置に回動させると、位置決め部材と再生部支持板の切り込み溝との係合によって、再生部はターンテーブルの軸線が位置決め部材の軸線と一致する位置に容易且つ正確に位置決めされる。この結果、再生部はターンテーブルの軸線上において支持されるとともに、再生部の底面は位置決め部材の上面で支持されて安定し、可動物の振動による音飛びを確実に回避することができる。
【発明を実施するための最良の形態】
【０００９】
実施の形態１．
図1は再生部をディスク搬送路外に退避させ、再生部と支持板とを分離して示す斜視図、図２は再生部を再生位置に位置させ、再生部と支持板とを分離して示す斜視図、図３は再生位置に位置させた再生部を下方から見た斜視図、図４は図２において、ロック部材をロック解除にした状態を示す斜視図である。
再生部５０２を有する再生部ユニット５００は、再生部支持板５０３と支持板５０４を有し、両板は一端に設けた穴５０３ａ，５０４ａを筐体１０１の底板１０１ｅに立てた軸１１０に嵌めて回動自在に取り付けている。
【００１０】
再生部支持板５０３には、回動力を付与するピンが係合するカム溝５０３ｂが形成されており、先端部両側および回動軸側には衝撃吸収体５０３ｃが設けられている。そして、先端近傍には筐体１０１の底板１０１ｅに設けられたディスクセンタリング位置決め部材１０３と係合する切り込み溝５０３ｄが形成されている。また、互いに噛み合うギア５０５ａ、５０６ａを有するロック部材５０５、５０６を、そのギア近傍を回動軸５０５ｂ、５０６ｂで回動自在に再生部支持板５０３に支持している。このロック部材５０５、５０６の自由端部には係合凹部を有するロック部としての係合部５０５ｃ、５０６ｃが垂直に折り曲げ形成されている。
【００１１】
支持板５０４には、先端部両側および回動軸側に衝撃吸収体５０３ｃの上部に係合する穴５０４ｂが形成されているとともに、その先端近傍にディスクを載置して回転させるターンテーブル５０７が設けられている。このターンテーブル５０７は、図示を省略した回路基板上に設けられた円盤型モータ５１２ａの軸上に設けられている。そして、回動軸側から先端部の間を移動してディスクの記憶内容を読み出す読み取り部（ピックアップ）５１３が設けられている。
【００１２】
しかも、この支持板５０４の回動軸側両側の垂直折り曲げ片５０４ｃには、図示を省略したクランプ板がターンテーブル５０７側に回動自在に支持されている。また、ロック部材５０５、５０６の係合部５０５ｃ、５０６ｃが係合する支持板５０４の対応箇所には、係合した係合部５０５ｃ、５０６ｃが前記再生部５０２の水平面内に入るように切り欠き部５０４ｄが形成されている。
【００１３】
次に動作について説明する。
再生部は再生時以外、図１に示すようにロック部材５０５、５０６が支持板５０４の水平面内に隠れるように回動して、係合部５０５ｃ、５０６ｃが支持板５０４の側縁に係合して、再生部５０２を再生部支持板５０３と一体に固定する。
【００１４】
そして、ディスク装置の動作モードによって、カム溝５０３ｂに係合する図示を省略したピンによって回動力が付与され、再生部５０２が図２、図３に示すように再生位置に移動すると、支持板５０４の切り込み溝５０３ｄが位置決め部材１０３に係合して、再生部のターンテーブル５０７の軸線が位置決め部材１０３の軸線と一致して位置決めされる。
【００１５】
この状態でターンテーブル５０７にディスク（図示を省略）が載置された後、規制の解かれたクランプ板が付勢バネの付勢力で押し動かされ、クランプ板の自由端側のクランパがディスクをターンテーブル上にクランプする。このクランプ動作に引続く動作力を受けてロック部材５０５、５０６が図４に示すように回動し、係合部５０５ｃ、５０６ｃによる支持板５０４のロックを外す。このため、再生部５０２は衝撃吸収体５０３ｃでのみで再生部支持板５０３上に保持されて再生状態になる。なお、再生動作終了後、再生部５０２は、上記とは反対の動作によって図１に示す退避位置へ戻る。
【００１６】
以上のように、この実施の形態１によれば、再生部を再生位置に移動させたとき、筐体に設けた位置決め部材に係合してターンテーブルの軸線が該位置決め部材の軸線と一致するように構成したので、再生部は再生位置の位置決め（センタリング）を正確に行なうことができる。また、再生部は再生位置において位置決め部材の上面で支持されるので、再生部の底面は位置決め部材の上面で支持されて安定し、再生部のガタツキが防止され、振動による音飛びを確実に回避することができ、装置の動作性能が向上する。
【００１７】
また、再生部の再生部支持板と支持板との間に配置されたロック部材に形成した係合部で再生部支持板をロックするように構成したので、再生部の厚みを厚くすることなく、再生部の固定および解放を確実に行うことができる。また、ロック時はロック部材の係合部が再生部の水平面内に入るように構成しているので、係合部が再生部をロックしたとき該係合部が再生部の水平面外に突出することがなく、上記の点と相俟って装置全体の小型化を図ることができるという効果がある。
【００１８】
なお、図示例は、ロック部材を再生部支持板に回動自在に支持させているが、このロック部材は支持板に支持させるようにしてもよい。この場合は、ロック部材の係合部で支持板をロックするように構成する。
【００１９】
以下、この発明を適用したディスク装置の一例を図面について説明する。
図５は、装置本体１００の外観斜視図、図６は筐体１０１から天板１０２取り外して内部を示した斜視図、図７は図６の平面図、図８は筐体１０１の前面板１０１ａを取り外した状態を示す斜視図である。
【００２０】
筐体１０１の内部には、駆動部ユニット２００、ディスク挿排部ユニット３００、ディスクチエンジャ部ユニット４００、再生部ユニット５００が設けられ、この各部ユニットを関連して動作させるために多数のカム、レバー等が設けられている。以下、各部を図９〜図３３について説明する。
【００２１】
駆動部ユニット２００
駆動部ユニット２００は、筐体１０１の底板１０１ｅの奥側角部に配置した駆動源としてのモータ２０１、このモータ２０１の動力をギア列２０２を介して供給される第１の回転体２０３および第２の回転体２０４を有する。第１の回転体２０３には渦巻き型のカム溝２０３ａが形成されており、第２の回転体２０４には互いに独立した４つのカム溝２０４ａ、２０４ｂ、２０４ｃ、２０４ｄが形成されている。これ等のギア群２０２、第１、第２の回転体２０３、２０４は筐体１０１の底板１０１ｅに回転自在に支持されている。
【００２２】
上記のカム溝２０４ａは、中間部と両端部が第２の回転体２０４と同心円弧状に形成され、この両部を繋ぐ連結部が第２の回転体２０４の半径方向に形成されている。そして、図３２に示すように第２の回転体２０４の下に配置されたＬ字型の第１メカ駆動レバー（以下、第１駆動レバーと略称する）２０５の中間部に設けられたピン２０５ａが上記カム溝２０４ａに係合し、この第１駆動レバー２０５の一端が筐体１０１の底板１０１ｅに設けられた軸２０５ｂに回転自在に支持されている。
【００２３】
カム溝２０４ｂは、カム溝２０４ａとは反対側に該カム溝２０４ａと略同径の半径で半円弧状に形成されている。そして、第２の回転体２０４の下に配置されたシャッタ駆動レバーとしての第２メカ駆動レバー（以下、第２駆動レバーと略称する）３１０の中間部に設けられたピン３１０ａが上記カム溝２０４ｂに係合し、この第２駆動レバー３１０の一端がギア列２０２の中の１つのギア軸に回転自在に支持されている。
【００２４】
カム溝２０４ｃは、一端側が第２の回転体２０４の外周側になるように他端側が該第２の回転体の中心側になるように半円弧状に形成されている。そして、第２の回転体２０４の下に配置されたセンサ駆動レバー２１３の中間部に設けられたピン２１３ａが上記カム溝２０４ｃに係合し、このセンサ駆動レバー２１３の一端が筐体１０１の底板１０１ｅに設けられた支柱２１３ｂに回転自在に支持されている。
【００２５】
カム溝２０４ｄは、第２の回転体２０４の軸を中心に半円弧状に形成され、その一端側が軸に近づくように途中から折り曲げ形成されている。そして、第２の回転体２０４の上に配置された第３メカ駆動レバー（以下、第３駆動レバーと称する）５１０の中間部に設けられたピン５１０ａが上記カム溝２０４ｄに係合し、この第３駆動レバー５１０の一端が筐体１０１の底板１０１ｅに設けられた軸５１０ｂに回転自在に支持されている。
【００２６】
上記第１駆動レバー２０５の自由端に設けたピン２０５ｂは、筐体１０１の後面板１０１ｃの沿って平行移動するスライド板２０６の長穴２０６ａに係合しており、このスライド板２０６には４本のカム溝２０６ｂ、２０６ｃ、２０６ｄ、２０６ｅが形成され、また、スライド板２０６の直角に折り曲げた立ち上がり面にはＬ字型のカム溝２０６ｆが形成されている。回動レバー２０７はカム溝２０６ｂに係合する柱体２０７ａを有し、この柱体２０７ａの上部にディスク検知板２０７ｂを有する。
【００２７】
一方、上記Ｌ字型のカム溝２０６ｆに係合するピン２０８ａを有するレバー２０８は筐体１０１の後面板１０１ｃに回転可能に支持されている。レバー２０９は、上記レバー２０７の一端にピン２０７ｃと長穴２０９ａで連結されている。Ｌ字型レバー２１０は中間部をレバー２０９に回動軸２１０ａで連結され、その一端に設けたピン２１０ｂを上記の溝２０６ｅに係合させ、他端に設けたピン２１０ｃをスライド板２１１の折り曲げ二股部２１１ａに係合させている。
【００２８】
このスライド板２１１は筐体１０１の右側板内面に沿ってスライドするように設けられており、その上縁凹部２１１ｂに係合する係合部２１２ａを有するスライド板２１２が筐体１０１の右側板内面に沿ってスライドするように設けられている。このスライド板２１２はラック２１２ｂと筐体内に向って略直角に折り曲げられた二股係合部２１２ｃを有する。
【００２９】
ディスク挿排部ユニット３００
ディスク挿排部ユニット３００は、筐体前面板１０１ａの内面に沿って左右動するカム板３０１を備え、このカム板３０１には左右に２つのカム溝３０１ａ、３０１ｂが形成されている。２枚のシャッタ３０２Ｒ、３０２Ｌはカム溝３０１ａ、３０１ｂに係合するピン３０２ａ、３０２ｂを有し、筐体前面板１０１ａに形成されたディスク挿排口３０３を開閉するように回動可能に筐体前面板内面に支持されている。
【００３０】
また、ディスク挿脱口３０３の上方には、筐体前面板１０１ａの内面から内方に向って突出してベース板３１４が設けられ、このベース板３１４には両端部に直線状のガイド溝３１４ａ〜３１４ｃとＬ字状のガイド溝３１４ｄが形成されている。そして、ベース板３１４の下部には、ディスク搬送板３１５が配置され、このディスク搬送板３１５の上面に設けたピン３１５ａ〜３１５ｃをガイド溝３１４ａ〜３１４ｃに通し、その上端部をかしめ処理して抜け止めとし、ディスク搬送板３１５をベース板３１４に吊り下げ支持させている。このディスク搬送板３１５の中央部にはディスクの外形を逃げる円弧状凹部３１５ｄが形成されている。
【００３１】
ディスク搬送板３１５の両端には、回動レバー３１６が軸３１６ａで取り付けられており、この回動レバー３１６間には、ディスク搬送ローラ３１７が軸３１６ａと平行に設けられ、このディスク搬送板３１５とディスク搬送ローラ３１７とで形成される間隔がディスク挿脱口３０３と一致している。また、一方の回動レバー３１６より外部に突出したディスク搬送ローラ３１７の軸３１７ａには動力伝達用のギア３１８が設けられ、このギア３１８に筐体右側板１０１ｂの外面に取り付けられたモータ３１９からの回転力を伝達するギア列３２０が噛み合うようになっている。また、回動レバー３１６には、上記ギア３１８とともにガイドピン３２１が設けられており、このガイドピン３２１は、筐体右側板１０１ｂに形成されたカム溝１０１ｇに係合している。
【００３２】
しかも、上記ギア列３２０が取り付けられた側のディスク搬送板３１５の上面には、ロックレバー３２２が回動可能に支持されており、このロックレバー３２２に設けたピン３２２ａがベース板３１４のＬ字状のガイド溝３１４ｄに係合しており、ロックレバー３２２に設けたピン３２２ｂにスライド板２１２の二股係合部２１２ｃが係合している。また、スライド板２１２に形成されたラック部２１２ｂは、ギア列３２０の中の１つのギアに噛み合うようになっている。
【００３３】
ディスクチエンジャ部ユニット４００
ディスクチエンジャ部ユニット４００は、略０°、９０°、１８０°の角度位置に３本のディスク上下移動体（以下、回転軸と称する）４０１、４０２、４０３が筐体底板１０１ｄと天板１０２間で支持されている。そして、この各回転軸４０１、４０２、４０３には、上下部に所定枚数（例えば５枚）のディスク４５０を格納可能とする高さの小径部４０１ｂ、ｃ、４０２ｂ、ｃ、４０３ｂ、ｃが形成されており、中間の大径部の外周面には、それぞれ階段状の螺旋溝４０１ａ、４０２ａ、４０３ａが形成されている。
【００３４】
この場合、奥側の回転軸４０２、４０３の階段状の螺旋溝４０２ａ、４０３ａは同一形状であるが、前側の回転軸４０１の階段状の螺旋溝４０１ａは、図３３に示すように、段差Ｈ２からＨ３に移行するのが奥側の回転軸４０２、４０３に比べて早くなっており、この構成によって、この段差が早く変化するタイミングで保持されたディスクの前側が奥側より下向きになる。また、回転軸４０１、４０２、４０３は、それぞれ上端部にギア４０１ｄ、４０２ｄ、４０３ｄを有し、このギア４０１ｄ、４０２ｄ、４０３ｄには、１つの大径ギア４０４が噛み合っている。なお、図３３において、Ｈ１は再生部侵入高さ、Ｈ２はディスクチャキング高さ、Ｈ３は再生部退避高さを示す。また、Ｍ１は再生部侵入モード、Ｍ２はディスクチャキングモード、Ｍ３は再生部退避モード、Ｍ４はディスク挿排モードを示す。
【００３５】
ディスク４５０を支持するストッカ４０５は、中心部を含む過半部を欠如した半円弧状のシート材で構成されており、その略０°、９０°、１８０°の角度位置に支持部材４０６、４０７、４０８が取り付けられている。この支持部材４０６、４０７、４０８よりディスク４５０の外方に突出する突出部４０６ａ、４０７ａ、４０８ａには、回転軸４０１、４０２、４０３の近傍に並設されたガイドピン４０９、４１０、４１１を通す穴４０６ｂ、４０７ｂ、４０８ｂと回転軸４０１、４０２、４０３の螺旋溝４０１ａ、４０２ａ、４０３ａに係合するピン４０６ｃ、４０７ｃ、４０８ｃが設けられている。また、突出部４０７ａには、ストッカ板ばね２１５ａ、２１５ｂの取り付け腕４０７ｄ，４０７ｅが設けられている。
【００３６】
この構成により、大径ギア４０４がギア列４１９を介してモータ４１８の駆動力を受けて回転することにより、ギア４０１ｄ、４０２ｄ、４０３ｄを介して各回転軸４０１、４０２、４０３が同時に回転し、螺旋溝４０１ａ、４０２ａ、４０３ａに沿ってストッカ４０５が上下動する。この上下動の過程で、上記した奥側の回転軸４０２、４０３の階段状の螺旋溝４０２ａ、４０３ａと前側の回転軸４０１の階段状の螺旋溝４０１ａの違いによって、ストッカ４０５に保持されたディスク４５０の前側が下向きとなるときが生じる。
【００３７】
一方、ディスク挿入口３０３側に近接して大径ギア４０４と噛み合うギア４１２、このギア４１２と噛み合うギア４１３、このギア４１３に形成された８字型カム溝４１３ａにピン４１４ａを係合させた揺動レバー４１４、この揺動レバー４１４にピン４１４ｂを介して連結され、筐体前面板１０１ａに沿って左右にスライドするスライド板４１５、このスライド板４１５のピン４１５ａが係合するカム溝４１６ａを有し、筐体前面板１０１ａに沿って上下にスライドするスライド板４１６、このスライド板４１６のピン４１６ｂに係合する二股部４１７ａを一端に有する回動板４１７を有する。
【００３８】
上記ギア４１２、４１３および揺動レバー４１４は、天板１０２に支持されており、スライド板４１５は左右端に設けたピン４１５ｂは筐体前面板１０１aの水平長穴４２０ａに係合している。また、スライド板４１６に設けたピン４１６ａは筐体前面板１０１ａに形成された垂直長穴４２０ｂに係合している。
【００３９】
第２駆動レバー３１０の先端に設けたギア３１０ｂとディスクガイド部材４２１の下部に設けたギア４２１ｂとを繋ぐギア列４２２が筐体底面１０１ｅに軸支された回動軸受板４２３上に設けられている。また、この回動軸受板４２３の垂直折り曲げ片には、上記回動板４１７が回動可能に支持されている。
上記のディスクガイド部材４２１は、ギア４２１ｂを有する軸部４２１ｃに外筒４２１ｄを勘合させたもので、この外筒４２１ｄの外面上部にディスクを挟持する挟持片４２１ａを有し、外筒４２１ｄの下面部に回動板４１７より突設されたピン４１７ｂが係合しており、この構成によってディスクガイド部材４２１は回動および上下動可能に設けられている。
【００４０】
再生部ユニット５００
再生部ユニット５００は、一端を筐体１０１に設けた軸１１０に回動自在に支持され、且つ、植設したピン５０１ｂを第１の回転体２０３のカム溝２０３ａに係合させた回動レバー５０１と、この回動レバー５０１によってディスクの領域外の退避位置からディスク再生位置に駆動される再生部５０２を有する。この再生部５０２は、再生部支持板５０３と支持板５０４を有し、両板は一端に設けた穴５０３ａ，５０４ａを筐体１０１の底板１０１ｅに立てた軸１１０に嵌めて回動自在に取り付けている。
【００４１】
支持板５０４には、上記の回動レバー５０１に設けられたピン５０１ｃが係合するカム溝５０３ｂが形成されており、先端部両側および基端部に衝撃吸収体５０３ｃが設けられている。そして、先端近傍には筐体１０１の底板１０１ｅに設けられたディスクセンタリング位置決め部材１０３と係合する切り込み溝５０３ｄが形成されている。また、互いに噛み合うギア５０５ａ、５０６ａを有するロック部材５０５、５０６は、そのギア近傍を回動軸５０５ｂ、５０６ｂで回動自在に支持板５０４に支持している。このロック部材５０５、５０６の自由端部には係合凹部を有する係合部５０５ｃ、５０６ｃが垂直に折り曲げ形成されている。
【００４２】
支持板５０４には、先端部両側および基端部に衝撃吸収体５０３ｃの上部に係合する穴５０４ｂが形成されており、その先端近傍にディスクを載置して回転させるターンテーブル５０７が設けられている。このターンテーブル５０７は、回路基板５１２上に設けられた円盤型モータ５１２ａの軸上に設けられている。そして、基端部から先端部の間を移動してディスク４５０の記憶内容を読み出す読み取り部５１３（ピックアップ）が設けられている。
【００４３】
また、この支持板５０４の基端部両側の垂直折り曲げ片５０４ｃには、クランプ板５０８の一端両側の垂直折り曲げ片５０８ａが軸５０８ｃで上下動可能に支持されており、このクランプ板５０８の先端には、ディスクをターンテーブル５０７に押圧保持するクランパ５０８ａが揺動自在に支持され、クランプ板５０８の後端にはクランパ５０８ａをターンテーブル５０７に押圧するコイルスプリング５０９が設けられている。
【００４４】
筐体左側面内面に沿ってスライドする駆動レバー５１１は、第３駆動レバー５１０の先端部にピン５１０ｃと長穴５１１ａとで連結され、このスライド部材５１１の上面にはロック動作用カム溝５１１ｂとディスクチャキング動作用カム溝５１１ｃが形成されている。そして、ロック部材５０５に設けたピン５０５ｄをロック動作用カム溝５１１ｂに係合させ、クランプ板５０８の駆動板５１２と連結板５１３とを揺動自在に連結し、この連結板５１３に設けたピン５１４をディスクチャキング動作用カム溝５１１ｃに係合させている。
【００４５】
次に動作について説明する。
ディスク挿入から再生までの動作
先ず、図示を省略したスイッチを閉じてモータ２０１を起動させ、ギア群２０２を介して第１、第２の回転体２０３、２０４を回動させる。第２の回転板２０４の回転により、カム溝２０４ｂに係合させた第２駆動レバー３１０が矢印Ａ方向に回動し、この回動で中間レバー３１１が矢印Ｂ方向に回動し、カム板３０１を矢印Ｃ方向に移動させる。この移動により、ピン３０２ａ、３０２ｂがカム板３０１のカム溝３０１ａ、３０１ｂに係合するシャッタ３０２Ｒ、３０２Ｌがそれぞれ矢印Ｄ、Ｅ方向に回動してディスク挿入口３０３を開放する。
【００４６】
このとき、図１１に示すように、再生部ユニット５００はディスクの移動する領域外に退避し、ディスク搬送板３１５は筐体１０１の奥側に、ストッカ４０５は所望の段がディスク搬送高さに面した位置に、かつ、ディスク挿入口３０３に近い回転軸４０１の螺旋溝４０１ａに係合するストッカ部分のみ再生退避高さまで下がった状態になっている。
【００４７】
この状態において、センサ３０９がディスク挿入口３０３から挿入されたディスクを検知すると、この検知信号を受けてモータ３１９が起動され、ギア群３１８を介してローラ３１７を回転駆動する。これにより、ディスクは上下面をディスク搬送板３１５とストッカ４０５で、左右側を回転軸４０１とクランプ板５０８の側壁５０８ｃにガイドされて、筐体１０１の内部へ搬送される。なお、第２の回転体２０４のモード検知は、第２の回転体２０４のカム溝２０４ｃにピン２１３ａで係合されたセンサ駆動レバー２１３、このセンサ駆動レバー２１３の先端の二股部２１３ｂに係合するピン２１４ａを有するポジションセンサ２１４により行う。
【００４８】
挿入されたディスク４５０が所定位置まで搬送されると、図１３に示すように、ディスク検知板２０７ｂがディスクに押されて矢印Ｆ方向に回動し、レバー２０７を介してスイッチレバー２０９を矢印Ｇ方向に回動させてスイッチ２１４を閉じる。
【００４９】
引き続くモータ２０１の駆動による第２の回転体２０４の回転によって、第２駆動レバー３１０は矢印Ａ’方向に回動し、中間レバー３１１を矢印Ｂ’方向に回動させてカム板３０１を矢印Ｃ’方向に移動させ、シャッタ３０２Ｒ、３０２Ｌをディスク挿入経路内に突出させてディスク挿入口３０３を閉じる。
【００５０】
一方、スイッチ２１４の閉じ信号に基づいて、モータ４１８が起動されると、ギア群４１９、大径ギア４０４、ギア４０１ｄ、４０２ｄ、４０３ｄを介して回転軸４０１、４０２、４０３が回転して、図１５に示すように、各回転軸４０１、４０２、４０３の螺旋溝４０１ａ、４０２ａ、４０３ａに係合する支持部材の突出部４０６ｃ、４０７ｃ，４０８ｃを介してストッカ４０５のディスク挿入側の高さがディスク搬送高さに戻る。
【００５１】
同時に、ギア４１２が回転し、このギア４１２と噛み合うギア４１３の８字型カム溝４１３ａに係合するピン４１４ａを有する揺動レバー４１４が矢印Ｈ方向に回動し、この回動によるスライド板４１５の矢印Ｊ方向、スライド板４１６の矢印Ｋ方向、回動板４１７の矢印Ｌ方向の回動によって、図１４に示すように、ディスクガイド部材４１５が矢印Ｍ方向にディスク搬送高さまで上昇する。
【００５２】
そして、引き続くモータ２０１の駆動による第２の回転体２０４の回転によって、第１駆動レバー２０５の矢印Ｎ方向の回動、スライド板２０６の矢印Ｐ方向への移動により、ディスク検知板２０７ｂが矢印Ｆ方向に回動退避する。さらに、スライド板２０６の矢印Ｐ方向、レバー２０８の矢印Ｑ方向、Ｌ字型レバー２１０の矢印Ｒ方向、スライド板２１１の矢印Ｓ方向の移動により、ディスクをストッカに押圧していたストッカ板ばね２１５ａ、２１５ｂの押圧解除およびスライド板２１１によるスライド板２１２の当接・押圧を行う。
【００５３】
これにより、図１６、図１７に示すように、スライド板２１２が矢印Ｔ方向に一定量移動し、二股係合部２１２ｃによってロック部材３２２を矢印Ｕ方向に回動させて、ピン３２２ｂとＬ字溝３１４ｄとの係合を外す。同時に、第２駆動レバー３１０が矢印Ａ方向に回動、ギア列４２２を介してディスクガイド部材４２１を矢印ｆ方向の回動させて、図１６に示すように、ディスクガイド部材４２１の挟持片４２１ａでディスク４５０を支持する。そして、モータ３１９が起動すると、スライド板２１１で押し動かされてラック２１２ｂがギア列３２０の中の１つのギアと噛み合ったスライダ板２１２は、以後モータ３１９の駆動力を受けて、ディスク搬送板３１５をディスク挿入口側（矢印Ｖ方向）に移動させる。
【００５４】
一方、上記モータ４１８の引き続く回転によって、ギア群４１９、大径ギア４０４、ギア４０１ｄ、４０２ｄ、４０３ｄを介する回転軸４０１、４０２、４０３の回転によって、図２０に示すように、ストッカ４０５が再生部侵入高さへ上昇する。同時に、ギア４１２が回転し、このギア４１２と噛み合うギア４１３の８字型カム溝４１３ａに係合するピン４１４ａを有する揺動レバー４１４が矢印Ｈ方向に回動し、この回動によるスライド板４１５の矢印Ｊ方向、スライド板４１６の矢印Ｋ方向、回動板４１７の矢印Ｌ方向の回動によって、図１９に示すように、ディスクガイド部材４２１がディスクを支持した状態で再生部侵入高さへまで上昇する。
【００５５】
モータ２０１、ギア群２０２を介して駆動された第１の回転体２０３の渦巻き型のカム溝２０３ａにより、回動レバー５０１が矢印Ｗ方向に回動し、再生部支持板５０３の切込み溝５０３ｄが位置決め部材１０３と係合することにより、図２１に示すように、ターンテーブル５０７の軸線がストッカ４０５で保持されたディスクの軸線と一致する。
【００５６】
上記の再生部支持板５０３の回動により、この支持板上に配置された支持板５０４がディスクガイド部材４２１に当接し、回動軸受板４２３を矢印Ｚ方向に回動させ、再生部侵入位置よりディスクガイド部材４２１を退避させる。このとき、クランプ板５０８は非チャキング状態である。
【００５７】
モータ４１８が更に回転し、ギア群４１９、大径ギア４０４、ギア４０１ｄ、４０２ｄ、４０３ｄを介する回転軸４０１、４０２、４０３の回転によって、図１５に示すように、ストッカ４０５の係合部高さがチャキング高さ（ディスク搬送高さ）に下がる。同時に、ギア４１２の回転により、このギア４１２と噛み合うギア４１３の８字型カム溝４１３ａに係合するピン４１４ａを有する揺動レバー４１４が矢印Ｈ’方向に回動し、この回動によるスライド板４５２の矢印Ｊ’方向、スライド板４１６の矢印Ｋ’方向、回動板４１７の矢印Ｌ’方向の回動によって、図２３、図１９に示すように、ディスクガイド部材４２１が矢印Ｍ’方向にチャキング高さまで降下し、ディスク４５０をターンテーブル５０７上に載置する。
【００５８】
モータ２０１、ギア群２０２、第２の回転体２０４のカム溝２０４ｄによって、レバー５１０が矢印ａ方向に回動、スライド部材５１１の矢印ｂ方向の移動、連結板５１３の矢印ｃ方向の回動、クランプ板５０８の駆動板５１２の矢印ｄ方向の移動により、この駆動板５１２に設けられていたクランプ板の回動阻止部材（図示を省略）が回動阻止を解除するため、クランプ板５０８はコイルスプリング５０９のばね力により矢印ｅ方向に降下して、図２４に示すように、クランパ５０８ａがディスクをターンテーブル５０７に押圧してチャキングする。
【００５９】
更に、引き続くモータ２０１の駆動による第２の回転体２０４の回転によって、第１駆動レバー２０５の矢印Ｎ’方向、スライド板２０６の矢印Ｐ’方向への移動、レバー２０８の矢印Ｑ’方向、Ｌ字型レバー２１０の矢印Ｒ’方向、スライド板２１１の矢印Ｓ’方向の移動により、図２５に示すように、ストッカ板ばね２１５ａ、２１５ｂを当接・押上げてディスクから退避させる。同時に、第２駆動レバー３１０を矢印Ａ’方向に回動、ギア列４２２を介してディスクガイド部材４２１を矢印ｆ’方向に回動させて、図２６に示すように、挟持片４２１ａによるディスクの支持を外す。
【００６０】
モータ４１８が更に回転し、ギア群４１９、大径ギア４０４、ギア４０１ｄ、４０２ｄ、４０３ｄを介する回転軸４０１、４０２、４０３の回転を経て、図２８に示すように、ストッカ４０５が再生高さに下がる。同時に、ギア４１２が回転し、このギア４１２と噛み合うギア４１３の８字型カム溝４１３ａに係合するピン４１４ａを有する揺動レバー４１４が矢印Ｈ’方向に回動し、この回動によるスライド板４１５の矢印Ｊ’方向、スライド板４１６の矢印Ｋ’方向、回動板４１７の矢印Ｌ’方向の回動によって、図２７に示すように、ディスクガイド部材４２１が矢印Ｍ’方向に再生退避高さまで降下し、再生するディスクから退避する。
【００６１】
更に、モータ２０１、ギア群２０２、第２の回転体２０４のカム溝２０４ｄによって、レバー５１０が矢印ａ方向に回動、スライド部材５１１の矢印ｂ方向の移動を経て、ロック部材５０５、５０６が矢印ｇ、ｈ方向に回動して、図２９に示すように、支持板５０４のロックを外して再生動作に移行する。
【００６２】
再生からディスクエジェクトまでの動作
モータ２０１、ギア群２０２、第２の回転体２０４のカム溝２０４ｄによって、レバー５１０が矢印ａ’方向に回動、スライド部材５１１の矢印ｂ’方向の移動を経て、ロック部材５０５、５０６が矢印ｇ’、ｈ’方向に回動して、図２９に示すように、支持板５０４をロックする。
【００６３】
モータ４１８の駆動により、ギア群４１９、大径ギア４０４、ギア４０１ｄ、４０２ｄ、４０３ｄを介する回転軸４０１、４０２、４０３の回転を経て、図１５に示すように、ストッカ４０５の係合部高さがチャキング高さに上昇する。同時に、ギア４１２が回転し、このギア４１２と噛み合うギア４１３の８字型カム溝４１３ａに係合するピン４１４ａを有する揺動レバー４１４が矢印Ｈ方向に回動し、この回動によるスライド板４１５の矢印Ｊ方向、スライド板４１６の矢印Ｋ方向、回動板４１７の矢印Ｌ方向の回動によって、図２１に示すように、ディスクガイド部材４２１が矢印Ｍ方向にディスクチャキング高さまで上昇する。
【００６４】
モータ２０１の駆動による第２の回転体２０４の回転、レバー２０５の矢印Ｎ方向の回動、スライド板２０６の矢印Ｐ方向への移動により、レバー２０８の矢印Ｑ方向への回動、Ｌ字型レバー２１０の矢印Ｒ方向への回動、スライド板２１１の矢印Ｓ方向の移動により、ストッカ板ばね２１５ａ、２１５ｂの当接を解除してディスクに接触させる。同時に、第２駆動レバー３１０を矢印Ａ’方向に回動、ギア群４１６を介してディスクガイド部材４２１を矢印ｆ’方向の回動させて、図２６に示すように、挟持片４２１ａによりディスクの支持を行う。
【００６５】
更に、モータ２０１、ギア群２０２、第２の回転体２０４のカム溝２０４ｄによって、レバー５１０が矢印ａ方向に回動、スライド部材５１１の矢印ｂ方向の移動、連結板５１３の矢印ｃ’方向の回動、駆動板５１２の矢印ｄ’方向の移動により、クランプ板５０８がコイルスプリング５０９のばね力に抗して矢印ｅ’方向に上昇し、図２４に示すように、クランパ５０８ｂがディスクより外れる。
【００６６】
モータ４１８が更に回転し、ギア群４１９、大径ギア４０４、ギア４０１ｄ、４０２ｄ、４０３ｄを介する回転軸４０１、４０２、４０３の回転によって、図２０に示すように、ストッカ４０５の係合部高さが再生部侵入高さに上がる。同時に、ギア４１２の回転により、このギア４１２と噛み合うギア４１３の８字型カム溝４１３ａに係合するピン４１４ａを有する揺動レバー４１４が矢印Ｈ方向に回動し、この回動によるスライド板４１５の矢印Ｊ方向、スライド板４１６の矢印Ｋ方向、回動板４１７の矢印Ｌ方向の回動によって、図２３に示すように、ディスクガイド部材４２１が矢印Ｍ方向に再生部侵入高さまで上昇し、ディスクをターンテーブル５０７の嵌合部から外す。
【００６７】
モータ２０１、ギア群２０２を介して駆動された第１の回転体２０３の渦巻き型のカム溝２０３ａにより、回動レバー５０１が矢印Ｗ’方向に回動し、再生部全体を支持した支持板５０４を、図２１、図２２に示すように、ディスク格納領域外に退避する位置まで回動させる。この支持板５０４の退避回動により、回動軸受板４２３が矢印Ｚ’方向に回動し、ディスクガイド部材４２１は初期位置に戻る。
【００６８】
モータ４１８が更に回転し、ギア群４１９、大径ギア４０４、ギア４０１ｄ、４０２ｄ、４０３ｄを介する回転軸４０１、４０２、４０３の回転によって、図１５に示すように、ストッカ４０５が搬送高さへ降下する。同時に、ギア４１２の回転により、このギア４１２と噛み合うギア４１３の８字型カム溝４１３ａに係合するピン４１４ａを有する揺動レバー４１４が矢印Ｈ’方向に回動し、この回動によるスライド板４１５の矢印Ｊ’方向、スライド板４１６の矢印Ｋ’方向、回動板４１７の矢印Ｌ’方向の回動によって、図１９に示すように、ディスクガイド部材４２１がディスクを支持した状態で矢印Ｍ’方向に搬送高さまで下降する。
【００６９】
モータ３１９の回転により、図１７に示すように、ギア群３２０を介してスライダ板２１２を矢印Ｔ’方向に移動させ、ロック部材３２２のロックがかかる手前まで、ディスク搬送板３１５を筐体１０１の奥側へ移動させる。このスライド板２１２の移動によって、回動板３１６はピン３２１が筐体右側面１０１ｂのカク溝１０１ｇに沿って移動することにより、矢印ｌ’方向に回動し、ディスク搬送ローラ軸に設けたギア３１８がギア列３２０に噛み合うようになる。
【００７０】
モータ２０１の駆動による第２の回転体２０４の回転によって、レバー２０５の矢印Ｎ’方向、スライド板２０６の矢印Ｐ’方向への移動、レバー２０８の矢印Ｑ’方向、Ｌ字型レバー２１０の矢印Ｒ’方向、スライド板２１１の矢印Ｓ’方向の移動により、ストッカ板ばね２１５ａ、２１５ｂの当接・押上およびスライド板２１２との当接を解除する。
【００７１】
これにより、スライド板２１２が矢印Ｔ’方向に初期位置まで移動し、二股係合部２１２ｃによってロック部材３２２を矢印Ｕ’方向に回動させられてロック状態となる。同時に、第２駆動レバー３１０が矢印Ａ’方向に回動、ギア列４２２を介してディスクガイド部材４２１を矢印ｆ’方向の回動させて、図１７に示すように、挟持片４２１ａによるディスク支持を解放する。更に、スライド板２０６の矢印Ｐ’方向への移動により、ディスク検知板２０７ｂの回動規制を外す。
【００７２】
モータ４１８が更に回転し、ギア群４１９、大径ギア４０４、ギア４０１ｄ、４０２ｄ、４０３ｄを介する回転軸４０１、４０２、４０３の回転によって、図１１に示すように、ストッカ４０５の手前側の係合部高さが再生退避高さに降下する。同時に、ギア４１２の回転により、このギア４１２と噛み合うギア４１３の８字型カム溝４１３ａに係合するピン４１４ａを有する揺動レバー４１４が矢印Ｈ’方向に回動し、この回動によるスライド板４１５の矢印Ｊ’方向、スライド板４１６の矢印Ｋ’方向、回動板４１７の矢印Ｌ’方向の回動によって、図１５に示すように、ディスクガイド部材４２１が退避高さまで下降する。
【００７３】
モータ２０１の駆動による第２の回転体２０４の回転によって、第２駆動レバー３１０を矢印Ａ方向に回動、中間レバー３１１を矢印Ｂ方向に回動によってカム板３０１を矢印Ｃ方向に移動させ、図１０に示すように、シャッタ３０２Ｒ、３０２Ｌをディスク搬送路外に逃がしてディスク挿入口３０３を開く。
【００７４】
モータ３１９が回転し、ギア群３２０を介してディスク搬送ローラ３１７が回転してディスクを排出する。ディスクが挿入口３０３から所定位置まで排出されると、この排出をセンサ（図示せず）が検知してモータ３１９を停止させ、図１２に示す状態となる。
【００７５】
ディスクチェンジャ動作
前記した動作により、再生部ユニット５００を再生位置から退避位置まで回動させ、ディスクガイド部材４２１を初期位置に戻す。その後、第２の回転体２０４の回転により、第２駆動レバー３１０を矢印Ａ’方向に回動、ギア列４２２を介してディスクガイド部材４２１を矢印ｆ’方向の回動させて、挟持片４２１ａによるディスク支持を解放する。同時に、ギア列４２２の１つのギアと噛み合うラック部材４２４が矢印ｊ方向に移動し、このラック部材４２４に回動部材４２５のギア部４２５ａが噛み合い、引き続くラック部材４２４の移動によって回動部材４２５が矢印Ｋ方向に回動起立し、図３０に示すように、ディスクの周面に当接しているストッカ４０５からのディスクのはみ出しを阻止する。
【００７６】
モータ４１８が更に回転し、ギア群４１９、大径ギア４０４、ギア４０１ｄ、４０２ｄ、４０３ｄを介する回転軸４０１、４０２、４０３の回転によって、ストッカ４０５が所望の高さに移動する。
【００７７】
モータ２０１の駆動による第２の回転体２０４の回転によって、第２駆動レバー３１０を矢印Ａ方向に回動し、ギア列４２２の１つのギアと噛み合うラック部材４２４が矢印ｊ’方向に移動し、このラック部材４２４に噛み合っているギア部４２５ａを有する回動部材４２５が該ラック部材の移動により矢印ｋ’方向に回動退避する。同時に、ギア列４２２の回転を経て、図３１に示すように、ディスクガイド部材４２１が矢印ｆ’方向に回動してディスクを支持する。
【００７８】
再生するときは、前記説明した動作により、再生部ユニット５００をターンテーブル５０７の軸線がディスクの軸線と一致する位置まで回動させ、選択したディスクをターンテーブル５０７に載置し、このディスク４５０をチャキングし、ストッカ板ばね２１５ａ、２１５ｂをディスクから退避させ、再生部５０２のロックを解除して再生動作に移る。
【図面の簡単な説明】
【００７９】
【図１】再生部をディスク搬送路外に退避させ、再生部と支持板とを分離して示す斜視図である。
【図２】再生部を再生位置に位置させ、再生部と支持板とを分離して示す斜視図である。
【図３】再生位置に位置させた再生部を下方から見た斜視図である。
【図４】図２において、ロック部材をロック解除にした状態を示す斜視図である。
【図５】装置本体の外観斜視図である。
【図６】筐体から天板取り外して内部を示した斜視図である。
【図７】図６の平面図である。
【図８】筐体の前面板を取り外した状態を示す斜視図である。
【図９】天板を外して、筐体の内部を示した平面図である。
【図１０】装置右後方からの斜視図である。
【図１１】側板を外して示す装置の右側側面図である。
【図１２】装置左後方からの斜視図である。
【図１３】装置右前方からの斜視図である。
【図１４】装置左後方からの斜視図である。
【図１５】ディスク載置時における側板を外して示す装置の右側側面図である。
【図１６】装置左後方からの斜視図である。
【図１７】装置右後方からの斜視図である。
【図１８】天板を外して筐体の内部を示した平面図である。
【図１９】装置左後方からの斜視図である。
【図２０】再生部挿入時の装置の右側側面図である。
【図２１】再生ユニットを再生位置に回動させて筐体の内部を示した平面図である。
【図２２】装置右後方からの斜視図である。
【図２３】装置右前方からの斜視図である。
【図２４】装置左後方からの斜視図である。
【図２５】装置右後方からの斜視図である。
【図２６】再生状態における筐体の内部を示した平面図である。
【図２７】装置右前方からの斜視図である。
【図２８】再生状態における装置の右側側面図である。
【図２９】天板を外して筐体の内部を示した平面図である。
【図３０】装置左後方からの斜視図である。
【図３１】装置左後方からの斜視図である。
【図３２】第２の回転体のカム溝と該カム溝の係合するレバーとの関係を示す平面図である。
【図３３】ストッカを上下動させる螺旋溝の展開図である。
【符号の説明】
【００８０】
１０３  位置決め部材、４５０  ディスク、５０２  再生部、５０３  再生部支持板、５０３ｄ  切り込み溝、５０４ｄ  切り欠き部、５０５，５０６  ロック部材、５０５ｃ，５０６ｃ  係合部（ロック部）、５０７  ターンテーブル、５１３  読み取り部（ピックアップ）。
【図１】
2005310203.tif 000003
【図２】
2005310203.tif 000004
【図３】
2005310203.tif 000005
【図４】
2005310203.tif 000006
【図５】
2005310203.tif 000007
【図６】
2005310203.tif 000008
【図７】
2005310203.tif 000009
【図８】
2005310203.tif 000010
【図９】
2005310203.tif 000011
【図１０】
2005310203.tif 000012
【図１１】
2005310203.tif 000013
【図１２】
2005310203.tif 000014
【図１３】
2005310203.tif 000015
【図１４】
2005310203.tif 000016
【図１５】
2005310203.tif 000017
【図１６】
2005310203.tif 000018
【図１７】
2005310203.tif 000019
【図１８】
2005310203.tif 000020
【図１９】
2005310203.tif 000021
【図２０】
2005310203.tif 000022
【図２１】
2005310203.tif 000023
【図２２】
2005310203.tif 000024
【図２３】
2005310203.tif 000025
【図２４】
2005310203.tif 000026
【図２５】
2005310203.tif 000027
【図２６】
2005310203.tif 000028
【図２７】
2005310203.tif 000029
【図２８】
2005310203.tif 000030
【図２９】
2005310203.tif 000031
【図３０】
2005310203.tif 000032
【図３１】
2005310203.tif 000033
【図３２】
2005310203.tif 000034
【図３３】
2005310203.tif 000035